(57)【要約】【課題】  ４分割してそれぞれの映像を表示させる場合、解像度を減少させるデータ圧縮処理が行われるので、解像度減少により出力画像が劣化してしまうという問題がある。【解決手段】  本発明に係る画像伝送装置は、撮影画像をアナログ方式の映像信号で出力するカメラからのアナログ映像信号をＶＧＡ（Video Graphics Array）規格のデジタル信号に変換してするデジタル変換部と、このＶＧＡ規格のデジタル信号を１ライン分格納し、外部からの制御信号に応じて出力するラインメモリと、ラインメモリから出力された記憶データのうち、４つの異なるカメラから出力されたアナログ映像信号より生成された第一〜第四の記憶データに基づいて、ＳＸＶＧＡ（Super Extended VGA）規格のＳＸＶＧＡ画像生成信号を生成する映像合成部とを設けた。【選択図】  図１
2011109579.tif 000002
【特許請求の範囲】
【請求項１】
撮影画像をアナログ方式の映像信号で出力するカメラからのアナログ映像信号を横方向に６４０ピクセル、縦方向に４８０ピクセルの画像領域が規定されたＶＧＡ（Video Graphics Array）規格のデジタル信号に変換して、ＶＧＡ規格のデジタル信号を出力するデジタル変換部と、
このデジタル変換部から出力されたＶＧＡ規格のデジタル信号を１ライン分格納し、外部からの制御信号に応じて１ライン分のＶＧＡ規格の記憶データを出力するラインメモリと、
前記ラインメモリから出力された記憶データのうち、４つの異なるカメラから出力されたアナログ映像信号より生成された第一〜第四の前記記憶データに基づいて、１画面に前記４つの異なるカメラからの画像を四分割して表示させるために、第一〜第四の前記記憶データを合成して横方向に１２８０ピクセル、縦方向に９６０ピクセルの画像領域が規定されたＳＸＶＧＡ（Super Extended VGA）規格のＳＸＶＧＡ画像生成信号を生成する映像合成部とを設けたことを特徴とする画像伝送装置。
【請求項２】
撮影画像をアナログ方式の映像信号で出力するカメラからのアナログ映像信号を横方向に６４０ピクセル、縦方向に４８０ピクセルの画像領域が規定されたＶＧＡ（Video Graphics Array）規格のデジタル信号に変換して、ＶＧＡ規格のデジタル信号を出力するデジタル変換部と、
このデジタル変換部から出力されたＶＧＡ規格のデジタル信号を１フレーム分格納し、外部からの制御信号に応じて１フレーム分のＶＧＡ規格の記憶データを出力するフレームメモリと、
前記フレームメモリから出力された記憶データのうち、４つの異なるカメラから出力されたアナログ映像信号より生成された第一〜第四の前記記憶データに基づいて、１画面に前記４つの異なるカメラからの画像を四分割して表示させるために、第一〜第四の前記記憶データを合成して横方向に１２８０ピクセル、縦方向に９６０ピクセルの画像領域が規定されたＳＸＶＧＡ（Super Extended VGA）規格のＳＸＶＧＡ画像生成信号を生成する映像合成部とを設けたことを特徴とする画像伝送装置。
【発明の詳細な説明】
【技術分野】
【０００１】
この発明は、ＮＴＳＣ（National Television Standards Committee）などのアナログ方式の画像信号を出力する監視カメラと、ＶＧＡ（Video Graphics Array）規格、ＳＸＶＧＡ（Super Extended VGA）規格を使用した画像伝送装置に関するものである。
【背景技術】
【０００２】
引用文献１には、複数のカメラからの各カメラ画像をデジタル化及び圧縮化して記憶媒体に記録し、再生時は記憶媒体から読み出し伸長してモニタに多画面表示することを可能とする監視カメラシステムが開示されている。
【先行技術文献】
【特許文献】
【０００３】
【特許文献１】特開２００３−１１１０１７
【発明の概要】
【発明が解決しようとする課題】
【０００４】
一般的な画面分割装置では、４分割画面にて、それぞれの映像を出力しようとする場合、画面分割装置内にて入力された映像を縮小し、縮小画像を合成して出力する動作が行われる。すなわち、カメラから入力された画像信号をデジタルデータに変換し、このデジタルデータについて解像度を減少させるデータ圧縮処理が行われるので、入力映像と比較した場合、解像度減少により、出力画像が劣化してしまうという問題があった。
【０００５】
本発明は、上記問題を鑑みてなされたものであり、４台の監視カメラからそれぞれ入力された画像信号をデジタルデータ（VGA RAWデータ）に変換し、ＳＸＶＧＡ  ＲＡＷデータとして出力および伝送することにより、鮮明な映像を取得することを目的とする。
【課題を解決するための手段】
【０００６】
本発明に係る画像伝送装置は、撮影画像をアナログ方式の映像信号で出力するカメラからのアナログ映像信号を横方向に６４０ピクセル、縦方向に４８０ピクセルの画像領域が規定されたＶＧＡ（Video Graphics Array）規格のデジタル信号に変換して、ＶＧＡ規格のデジタル信号を出力するデジタル変換部と、このデジタル変換部から出力されたＶＧＡ規格のデジタル信号を１ライン分格納し、外部からの制御信号に応じて１ライン分のＶＧＡ規格の記憶データを出力するラインメモリと、ラインメモリから出力された記憶データのうち、４つの異なるカメラから出力されたアナログ映像信号より生成された第一〜第四の記憶データに基づいて、１画面に４つの異なるカメラからの画像を四分割して表示させるために、第一〜第四の記憶データを合成して横方向に１２８０ピクセル、縦方向に９６０ピクセルの画像領域が規定されたＳＸＶＧＡ（Super Extended VGA）規格のＳＸＶＧＡ画像生成信号を生成する映像合成部とを設けたものである。
【０００７】
本発明に係る画像伝送装置は、撮影画像をアナログ方式の映像信号で出力するカメラからのアナログ映像信号を横方向に６４０ピクセル、縦方向に４８０ピクセルの画像領域が規定されたＶＧＡ（Video Graphics Array）規格のデジタル信号に変換して、ＶＧＡ規格のデジタル信号を出力するデジタル変換部と、このデジタル変換部から出力されたＶＧＡ規格のデジタル信号を１フレーム分格納し、外部からの制御信号に応じて１フレーム分のＶＧＡ規格の記憶データを出力するフレームメモリと、フレームメモリから出力された記憶データのうち、４つの異なるカメラから出力されたアナログ映像信号より生成された第一〜第四の記憶データに基づいて、１画面に４つの異なるカメラからの画像を四分割して表示させるために、第一〜第四の記憶データを合成して横方向に１２８０ピクセル、縦方向に９６０ピクセルの画像領域が規定されたＳＸＶＧＡ（Super Extended VGA）規格のＳＸＶＧＡ画像生成信号を生成する映像合成部とを設けたものである。
【発明の効果】
【０００８】
本発明に係る画像伝送装置は、撮影画像をアナログ方式の映像信号で出力するカメラからのアナログ映像信号を横方向に６４０ピクセル、縦方向に４８０ピクセルの画像領域が規定されたＶＧＡ（Video Graphics Array）規格のデジタル信号に変換して、ＶＧＡ規格のデジタル信号を出力するデジタル変換部と、このデジタル変換部から出力されたＶＧＡ規格のデジタル信号を１ライン分格納し、外部からの制御信号に応じて１ライン分のＶＧＡ規格の記憶データを出力するラインメモリと、ラインメモリから出力された記憶データのうち、４つの異なるカメラから出力されたアナログ映像信号より生成された第一〜第四の記憶データに基づいて、１画面に４つの異なるカメラからの画像を四分割して表示させるために、第一〜第四の記憶データを合成して横方向に１２８０ピクセル、縦方向に９６０ピクセルの画像領域が規定されたＳＸＶＧＡ（Super Extended VGA）規格のＳＸＶＧＡ画像生成信号を生成する映像合成部とを設けたので、解像度減少により出力画像が劣化してしまうという問題を防止し、鮮明な映像を取得することができる。
【０００９】
本発明に係る画像伝送装置は、撮影画像をアナログ方式の映像信号で出力するカメラからのアナログ映像信号を横方向に６４０ピクセル、縦方向に４８０ピクセルの画像領域が規定されたＶＧＡ（Video Graphics Array）規格のデジタル信号に変換して、ＶＧＡ規格のデジタル信号を出力するデジタル変換部と、このデジタル変換部から出力されたＶＧＡ規格のデジタル信号を１フレーム分格納し、外部からの制御信号に応じて１フレーム分のＶＧＡ規格の記憶データを出力するフレームメモリと、フレームメモリから出力された記憶データのうち、４つの異なるカメラから出力されたアナログ映像信号より生成された第一〜第四の記憶データに基づいて、１画面に４つの異なるカメラからの画像を四分割して表示させるために、第一〜第四の記憶データを合成して横方向に１２８０ピクセル、縦方向に９６０ピクセルの画像領域が規定されたＳＸＶＧＡ（Super Extended VGA）規格のＳＸＶＧＡ画像生成信号を生成する映像合成部とを設けたので、解像度減少により出力画像が劣化してしまうという問題を防止し、鮮明な映像を取得することができる。
【図面の簡単な説明】
【００１０】
【図１】本発明の実施の形態１に係る画像伝送装置の構成を示すブロック図である。
【図２】四分割画面の一例を示す説明図である。
【図３】本発明の実施の形態１に係る画像伝送装置の処理手順を示すフローチャートである。
【図４】本発明の実施の形態２に係る画像伝送装置の構成を示すブロック図である。
【図５】本発明の実施の形態２に係る画像伝送装置の処理手順を示すフローチャートである。
【発明を実施するための形態】
【００１１】
実施の形態１．
本発明の実施の形態１を図１を用いて説明する。図１は本発明の実施の形態１による鮮明な映像を取得することが出来る画像伝送装置の構成を示すブロック図である。図１において、１０１〜１０４は監視カメラである。監視カメラ１０１〜１０４は、例えば、ＮＴＳＣ（National Television Standards Committee）などのアナログ方式の映像信号１１０１〜１１０４を出力する機能を備える。１０５は画像伝送装置である。画像伝送装置１０５は、Ａ／Ｄ変換部１０６〜１０９と、ラインメモリ１１０〜１１３と、映像切り換え部１１４と、画面割付制御部１１５と、映像合成部１１６より構成される。Ａ／Ｄ変換部１０６〜１０９は、入力された映像信号１１０１〜１１０４をそれぞれ横方向に６４０ピクセル及び縦方向に４８０ピクセルの画像領域が規定されたＶＧＡ規格のＲＡＷデータに変換し、ＶＧＡ・ＲＡＷデータ１１０５〜１１０８を出力する機能を備える。
【００１２】
ラインメモリ１１０〜１１３は、それぞれ入力されたＶＧＡ・ＲＡＷデータ１１０５〜１１０８を１ライン分格納して、ＶＧＡ・ＲＡＷ・ラインデータ１１０９〜１１１２を出力する機能を備える。映像切り換え部１１４は、例えば、外部制御信号１１１３に基づいて４画面の画面割付を決定し、これを描画する時の切り換えタイミングに変換した制御信号１１１４を出力する機能を備える画面割付制御部１１５より、出力される制御信号１１１４に基づいて、ＶＧＡ・ＲＡＷ・ラインデータ１１１５を出力する機能を備える。映像合成部１１６は、ＶＧＡ・ＲＡＷ・ラインデータ１１１５より、それぞれ横方向に１２８０ピクセル及び縦方向に９６０ピクセルの画像領域が規定されたＳＸＶＧＡ規格のＲＡＷデータを合成し、ＳＸＶＧＡ・ＲＡＷデータ１１１６を出力する機能を備える。また、画面割付制御部１１５は、映像合成部１１６からフレーム単位で合成完了を通知する制御信号１１１７を受けて、外部からのアラーム信号１１１８を確認し、前記の制御信号１１１４を変更する機能を備える。
【００１３】
次に動作について説明する。まず、監視カメラ１０１は映像信号１１０１を、監視カメラ１０２は映像信号１１０２を、監視カメラ１０３は映像信号１１０３を、監視カメラ１０４は映像信号１１０４を、それぞれ出力して、監視画像伝送装置１０５へ入力する。次に、監視画像伝送装置１０５は、入力された映像信号１１０１をＡ／Ｄ変換部１０６にてＶＧＡ・ＲＡＷデータ１１０５に変換し、ラインメモリ１１０へ一旦格納し、１ライン分格納後、ＶＧＡ・ＲＡＷ・ラインデータ１１０９として出力する。同様に、入力された映像信号１１０２は、Ａ／Ｄ変換部１０７にてＶＧＡ・ＲＡＷデータ１１０６に変換し、ラインメモリ１１１へ一旦格納し、１ライン分格納後、ＶＧＡ・ＲＡＷ・ラインデータ１１１０として、入力された映像信号１１０３は、Ａ／Ｄ変換部１０８にてＶＧＡ・ＲＡＷデータ１１０７に変換し、ラインメモリ１１２へ一旦格納し、１ライン分格納後、ＶＧＡ・ＲＡＷ・ラインデータ１１１１として、入力された映像信号１１０４は、Ａ／Ｄ変換部１０９にてＶＧＡ・ＲＡＷデータ１１０８に変換し、ラインメモリ１１３へ一旦格納し、１ライン分格納後、ＶＧＡ・ＲＡＷ・ラインデータ１１１２として、それぞれ出力する。
【００１４】
映像切り換え部１１４は、画面割付制御部１１５からの制御信号１１１４に基づいて、入力されたＶＧＡ・ＲＡＷ・ラインデータ１１０９、ＶＧＡ・ＲＡＷ・ラインデータ１１１０、ＶＧＡ・ＲＡＷ・ラインデータ１１１１、ＶＧＡ・ＲＡＷ・ラインデータ１１１２を切り換えて、ＶＧＡ・ＲＡＷ・ラインデータ１１１５として出力し、映像合成部１１６へ入力する。映像合成部１１６は、入力されたＶＧＡ・ＲＡＷ・ラインデータ１１１５より、４画面分をＳＸＶＧＡ・ＲＡＷ・データとして合成して、ＳＸＶＧＡ・ＲＡＷ・データ１１１６として出力する。また、映像合成部１１６は、フレーム単位で合成完了を通知する制御信号１１１７を画面割付制御部１１５へ通知する。画面割付制御部１１５は、制御信号１１１７と、外部からのアラーム信号１１１８を確認し、もし、アラームがＯＮになっている場合は、図２に示す画面分割構成にて、例えば、予め指定されている監視カメラ映像を画面１に描画するように前記の制御信号１１１４を変更し、前記の映像合成を行う。
【００１５】
ここで、実施の形態１の動作の詳細を、図３を用いて説明する。図３は、実施の形態１のシステム動作の処理手順を示すフローチャートである。まず、監視画像伝送装置１０５において、各監視カメラ１０１〜１０４より、映像信号１１０１〜１１０４を、それぞれ入力開始したことをスタートとして、ステップＳＴ１１にて、各Ａ／Ｄ変換部１０６〜１０９より、ＶＧＡ・ＲＡＷデータ１１０５〜１１０８にそれぞれ変換し、ラインメモリ１１０〜１１３へ出力し、ステップＳＴ１２へ移行する。ここで、ステップＳＴ１２にて各ラインメモリ１１０〜１１３において、１ライン分、データ格納したかを判定する。もし、１ライン分、データ格納できていない場合は、ステップＳＴ１１の処理に戻り、上述した処理を繰り返す。１ライン分、データ格納できた場合は、ステップＳＴ１３に移行する。ステップＳＴ１３では、各ラインメモリ１１０〜１１３より、ＶＧＡ・ＲＡＷ・ラインデータ１１０９〜１１１２をそれぞれ出力して、ステップＳＴ１４に移行する。
【００１６】
ステップＳＴ１４では、映像切り換え部１１４にて、画面割付制御部１１５からの制御信号１１１４に基づいて、ＶＧＡ・ＲＡＷ・ラインデータ１１１５を出力して、ステップＳＴ１５に移行する。ステップＳＴ１５では、映像合成部１１６にて、入力されたＶＧＡ・ＲＡＷ・ラインデータ１１１５より、ＳＸＶＧＡ・ＲＡＷ・データを合成して、ステップＳＴ１６に移行する。ステップＳＴ１６では、ステップＳＴ１５よりＳＸＶＧＡにて１フレーム分、すなわち、ＶＧＡにて４画面分を合成できたかを判定する。もし、ＳＸＶＧＡにて１フレーム分、合成できていない場合は、ステップＳＴ１５の処理に戻り、上述した処理を繰り返す。ＳＸＶＧＡにて１フレーム分、合成できた場合は、ステップＳＴ１７に移行する。
【００１７】
ステップＳＴ１７では、ステップＳＴ１６にて、ＳＸＶＧＡにて１フレーム分、合成できたデータをＳＸＶＧＡ・ＲＡＷ・データ１１１６として出力し、合成完了を通知する制御信号１１１７を画面割付制御部１１５へ通知して、ステップＳＴ１８に移行する。ステップＳＴ１８では、ステップＳＴ１７にて通知した制御信号１１１７と、外部からのアラーム信号１１１８を確認し、もし、アラームがＯＮになっている場合は、図２に示す画面分割構成にて、例えば、予め指定されている監視カメラ映像を画面１に描画するように、前記の制御信号１１１４を変更し、ステップＳＴ１１に移行して、上述した処理を繰り返す。もし、アラームがＯＦＦの場合は、ステップＳＴ１１に移行して、上述した処理を繰り返す。以上のように、この実施の形態１によれば、監視画像伝送装置１０５において、アナログ方式の映像信号１１０１〜１１０４より、４画面分合成できたデータをＳＸＶＧＡ・ＲＡＷ・データ１１１５として出力することにより、解像度減少により出力画像が劣化してしまうという問題を防止し、鮮明な映像を取得することができる。
【００１８】
実施の形態２．
本発明の実施の形態２を図４を用いて説明する。図４は本発明の実施の形態２による鮮明な映像を取得することが出来る画像伝送装置の構成を示すブロック図である。
図４において、２０１〜２０４は監視カメラである。監視カメラ２０１〜２０４は、例えば、ＮＴＳＣなどのアナログ方式の映像信号２１０１〜２１０４を出力する機能を備える。２０５は監視画像伝送装置である。監視画像伝送装置２０５は、Ａ／Ｄ変換部２０６〜２０９と、フレームメモリ２１０〜２１３と、映像合成部２１４と、画面割付制御部２１５より構成される。Ａ／Ｄ変換部２０６〜２０９は、入力された映像信号２１０１〜２１０４をそれぞれ横方向に６４０ピクセル及び縦方向に４８０ピクセルの画像領域が規定されたＶＧＡ規格のＲＡＷデータに変換し、ＶＧＡ・ＲＡＷデータ２１０５〜２１０８を出力する機能を備える。
【００１９】
フレームメモリ２１０〜２１３は、それぞれ入力されたＶＧＡ・ＲＡＷデータ２１０５〜２１０８を１フレーム分格納して、ＶＧＡ・ＲＡＷ・フレームデータ２１０９〜２１１２を出力する機能を備える。映像合成部２１４は、例えば、外部制御信号２１１３に基づいて４画面の画面割付を決定し、これを描画する時の切り換えタイミングに変換した制御信号２１１４を出力する機能を備える画面割付制御部２１５より、出力される制御信号２１１４に基づいて、それぞれ横方向に１２８０ピクセル及び縦方向に９６０ピクセルの画像領域が規定されたＳＸＶＧＡ規格のＲＡＷデータを合成し、ＳＸＶＧＡ・ＲＡＷデータ２１１５を出力する機能を備える。また、画面割付制御部２１５は、映像合成部２１４からフレーム単位で合成完了を通知する制御信号２１１６を受けて、外部からのアラーム信号２１１７を確認し、前記の制御信号２１１４を変更する機能を備える。
【００２０】
次に動作について説明する。まず、監視カメラ２０１は映像信号２１０１を、監視カメラ２０２は映像信号２１０２を、監視カメラ２０３は映像信号２１０３を、監視カメラ２０４は映像信号２１０４を、それぞれ出力して、監視画像伝送装置２０５へ入力する。次に、監視画像伝送装置２０５は、入力された映像信号２１０１をＡ／Ｄ変換部２０６にてＶＧＡ・ＲＡＷデータ２１０５に変換し、フレームメモリ２１０へ一旦格納し、１フレーム分格納後、ＶＧＡ・ＲＡＷ・フレームデータ２１０９として出力する。同様に、入力された映像信号２１０２は、Ａ／Ｄ変換部２０７にてＶＧＡ・ＲＡＷデータ２１０６に変換し、フレームメモリ２１１へ一旦格納し、１フレーム分格納後、ＶＧＡ・ＲＡＷ・フレームデータ２１１０として、入力された映像信号２１０３は、Ａ／Ｄ変換部２０８にてＶＧＡ・ＲＡＷデータ２１０７に変換し、フレームメモリ２１２へ一旦格納し、１フレーム分格納後、ＶＧＡ・ＲＡＷ・フレームデータ２１１１として、入力された映像信号２１０４は、Ａ／Ｄ変換部２０９にてＶＧＡ・ＲＡＷデータ２１０８に変換し、フレームメモリ２１３へ一旦格納し、１フレーム分格納後、ＶＧＡ・ＲＡＷ・フレームデータ２１１２として、それぞれ出力する。
【００２１】
映像合成部２１４は、画面割付制御部２１５からの制御信号２１１４に基づいて、入力されたＶＧＡ・ＲＡＷ・フレームデータ２１０９、ＶＧＡ・ＲＡＷ・フレームデータ２１１０、ＶＧＡ・ＲＡＷ・フレームデータ２１１１、ＶＧＡ・ＲＡＷ・フレームデータ２１１２を切り換えることにより、４画面分をＳＸＶＧＡ・ＲＡＷ・データとして合成して、ＳＸＶＧＡ・ＲＡＷ・データ２１１５として出力する。また、映像合成部２１４は、フレーム単位で合成完了を通知する制御信号２１１６を画面割付制御部２１５へ通知する。画面割付制御部２１５は、制御信号２１１６と、外部からのアラーム信号２１１７を確認し、もし、アラームがＯＮになっている場合は、図３に示す画面分割構成にて、例えば、予め指定されている監視カメラ映像を画面１に描画するように、前記の制御信号２１１４を変更し、前記の映像合成を行う。
【００２２】
ここで、実施の形態２の動作の詳細を、図５を用いて説明する。図５は、実施の形態２のシステム動作の処理手順を示すフローチャートである。まず、監視画像伝送装置２０５において、各監視カメラ２０１〜２０４より、映像信号２１０１〜２１０４を、それぞれ入力開始したことをスタートとして、ステップＳＴ２１にて、各Ａ／Ｄ変換部２０６〜２０９より、ＶＧＡ・ＲＡＷデータ２１０５〜２１０８にそれぞれ変換し、フレームメモリ２１０〜２１３へ出力し、ステップＳＴ２２へ移行する。ここで、ステップＳＴ２２にて各フレームメモリ２１０〜２１３において、１フレーム分、データ格納したかを判定する。もし、１フレーム分、データ格納できていない場合は、ステップＳＴ２１の処理に戻り、上述した処理を繰り返す。１フレーム分、データ格納できた場合は、ステップＳＴ２３に移行する。ステップＳＴ２３では、各フレームメモリ２１０〜２１３より、ＶＧＡ・ＲＡＷ・フレームデータ２１０９〜２１１２をそれぞれ出力して、ステップＳＴ２４に移行する。
【００２３】
ステップＳＴ２４では、映像合成部２１４にて、画面割付制御部２１５からの制御信号２１１３に基づいて、ＳＸＶＧＡ・ＲＡＷ・データを合成して、ステップＳＴ２５に移行する。ステップＳＴ２５では、ステップＳＴ１５よりＳＸＶＧＡにて１フレーム分、すなわち、ＶＧＡにて４画面分を合成できたかを判定する。もし、ＳＸＶＧＡにて１フレーム分、合成できていない場合は、ステップＳＴ２４の処理に戻り、上述した処理を繰り返す。ＳＸＶＧＡにて１フレーム分、合成できた場合は、ステップＳＴ２６に移行する。ステップＳＴ２６では、ステップＳＴ２５にて、ＳＸＶＧＡにて１フレーム分、合成できたデータをＳＸＶＧＡ・ＲＡＷ・データ２１１５として出力し、合成完了を通知する制御信号２１１６を画面割付制御部２１５へ通知して、ステップＳＴ２７に移行する。ステップＳＴ２７では、ステップＳＴ２６にて通知した制御信号２１１６と、外部からのアラーム信号２１１７を確認し、もし、アラームがＯＮになっている場合は、ステップＳＴ２８に移行して、図３に示す画面分割構成にて、例えば、予め指定されている監視カメラ映像を画面1に描画するように、前記の制御信号２１１４を変更し、ステップＳＴ２１に移行して、上述した処理を繰り返す。もし、アラームがＯＦＦの場合は、ステップＳＴ２１に移行して、上述した処理を繰り返す。以上のように、この実施の形態２によれば、監視画像伝送装置２０５において、アナログ方式の映像信号２１０１〜２１０４より、４画面分合成できたデータをＳＸＶＧＡ・ＲＡＷ・データ２１１５として出力することにより、解像度減少により出力画像が劣化してしまうという問題を防止し、鮮明な映像を取得することができる。
【符号の説明】
【００２４】
１０１  監視カメラ、１０２  監視カメラ、１０３  監視カメラ、１０４  監視カメラ、
１０５  監視画像伝送装置、１０６  Ａ／Ｄ変換部、１０７  Ａ／Ｄ変換部、
１０８  Ａ／Ｄ変換部、１０９  Ａ／Ｄ変換部、１１０  ラインメモリ、
１１１  ラインメモリ、１１２  ラインメモリ、１１３  ラインメモリ、
１１４  映像切り換え部、１１５  画面割付制御部、１１６  映像合成部、
１１０１  映像信号、１１０２  映像信号、１１０３  映像信号、１１０４  映像信号、
１１０５  ＶＧＡ・ＲＡＷデータ、１１０６  ＶＧＡ・ＲＡＷデータ、
１１０７  ＶＧＡ・ＲＡＷデータ、１１０８  ＶＧＡ・ＲＡＷデータ、
１１０９  ＶＧＡ・ＲＡＷ・ラインデータ、１１１０  ＶＧＡ・ＲＡＷ・ラインデータ、
１１１１  ＶＧＡ・ＲＡＷ・ラインデータ、１１１２  ＶＧＡ・ＲＡＷ・ラインデータ、
１１１３  制御信号、１１１４  制御信号、１１１５  ＶＧＡ・ＲＡＷ・ラインデータ、
１１１６  ＳＸＶＧＡ・ＲＡＷデータ、１１１７  制御信号、１１１８  アラーム信号
２０１  監視カメラ、２０２  監視カメラ、２０３  監視カメラ、２０４  監視カメラ、
２０５  監視画像伝送装置、２０６  Ａ／Ｄ変換部、２０７  Ａ／Ｄ変換部、
２０８  Ａ／Ｄ変換部、２０９  Ａ／Ｄ変換部、２１０  ラインメモリ、
２１１  ラインメモリ、２１２  ラインメモリ、２１３  ラインメモリ、
２１４  映像合成部、２１５  画面割付制御部、
２１０１  映像信号、２１０２  映像信号、２１０３  映像信号、２１０４  映像信号、
２１０５  ＶＧＡ・ＲＡＷデータ、２１０６  ＶＧＡ・ＲＡＷデータ、
２１０７  ＶＧＡ・ＲＡＷデータ、２１０８  ＶＧＡ・ＲＡＷデータ、
２１０９  ＶＧＡ・ＲＡＷ・ラインデータ、２１１０  ＶＧＡ・ＲＡＷ・ラインデータ、
２１１１  ＶＧＡ・ＲＡＷ・ラインデータ、２１１２  ＶＧＡ・ＲＡＷ・ラインデータ、
２１１３  制御信号、２１１４  制御信号、２１１５  ＳＸＶＧＡ・ＲＡＷデータ、
２１１６  制御信号、２１１７  アラーム信号
【図１】
2011109579.tif 000003
【図２】
2011109579.tif 000004
【図３】
2011109579.tif 000005
【図４】
2011109579.tif 000006
【図５】
2011109579.tif 000007